(57)【要約】      （修正有）【課題】取り外し可能な表示片が一体に設けられ、取り外した表示片を内容物に容易に取り付けることができる包装箱を提供する。【解決手段】箱体形成片の一部に、内容物に関する表示事項が印刷された表示片５０を、分離可能に有する。表示片５０は、突起状の係止片５３を備える。係止片５３の突出方向に交差する両端部には、凹部５３ａを有する。一対の凹部５３ａは、輪ゴムを取り付け可能であり、輪ゴムにより、表示片５０を内容物に取り付ける。【選択図】図１
0003199761.tif 000002
【実用新案登録請求の範囲】
【請求項１】
一枚のブランクシートから一体的に打ち抜かれた箱体形成片から成り、この箱体形成片の一部に、内容物に関する表示事項が印刷された表示片が分離可能に設けられ、前記表示片には、突起状の係止片が設けられ、前記係止片の突出方向に交差する両端部には凹部が各々設けられ、前記一対の凹部は係止手段を取り付け可能に形成され、前記係止手段により、前記内容物に前記表示片を取り付け可能としたことを特徴とする包装箱。
【請求項２】
前記係止片は前記表示片の端部に位置し、前記表示片の端部に交差する一対の係止片用破断線と、前記一対の係止片用破断線の先端を連結する係止片用折罫線で区切られて設けられ、前記係止片用破断線にはＳ字形に折れ曲がった屈曲部が設けられ、前記係止片は前記一対の係止片用破断線を切断して前記係止片用折罫線で折り曲げられて前記表示片から突出する突起状に形成され、前記係止片の、前記係止片用破断線の前記屈曲部が切断された側縁部には前記一対の凹部が設けられ、前記凹部に連続する部分には前記凹部のくぼむ方向と反対側に向かって突出する凸部が形成され、前記凹部に取り付けられた前記係止手段を前記凸部が係止する請求項１記載の包装箱。
【請求項３】
前記箱体形成片には、互いに平行に連接されて筒体に組み立てられる４つの側面と、一側面に設けられ筒体の上端開口部を閉鎖する蓋片と、前記蓋片が設けられた前記側面に交差する一対の側面に各々設けられ前記蓋片の裏面に折り畳まれる一対のフラップが設けられ、前記フラップが前記表示部であり、前記フラップが連接された前記側面には、前記フラップが連接する端部を分離する側面用破断線が設けられている請求項１記載の包装箱。
【請求項４】
前記箱体形成片には、互いに平行に連接されて筒体に組み立てられる４つの側面が設けられ、前記一側面に、前記表示片が表示片用破断線で区切られて設けられ、前記表示片用破断線の外側に隣接して押込部が設けられ、前記押込部は、前記表示片用破断線に交差する押込部用破断線により囲まれている請求項１記載の包装箱。
【請求項５】
前記係止手段は、輪ゴムである請求項１記載の包装箱。
【請求項６】
前記内容物は薬剤が入れられたボトルであり、前記表示片は、前記ボトルの首部に前記係止手段を巻き回して取り付ける請求項１記載の包装箱。
【考案の詳細な説明】
【技術分野】
【０００１】
この考案は、取り外し可能な表示片が一体に設けられ、表示部には内容物に関する情報が印刷されている包装箱に関する。
【背景技術】
【０００２】
従来、医薬品や食品などの商品を収容して店頭に陳列するための包装箱には、商品についての内容説明、使用方法、使用期限、製造番号などの複数の情報が印刷されている。商品が医薬品の場合、医療機関で包装箱から医薬品を取り出して棚に移して保管することがあり、医薬品の情報がわかりにくくなることがある。これを防ぐために、包装箱の一部に切り離し可能な表示片が設けられているものがある。例えば、特許文献１に開示されている表示片付き包装箱は、一枚のブランクシートから一体的に打ち抜かれた箱体形成片から成り、互いに平行に連接される４つの側面と、４つの側面を筒体に組み立てて糊付けする糊付片と、一側面に設けられ筒体の上端開口部を閉鎖する上蓋片と、上蓋片が設けられた前記側面に交差する一対の側面に各々設けられ上蓋片の裏面に折り畳まれる一対のフラップが設けられている。一方のフラップは、内容物に関する情報が印刷された表示用フラップであり、表示用フラップが設けられている側面には、表示用フラップの基端部の両端を起点とするＵ字状の第一破断線が設けられている。糊付片には、カード片が第二破断線で区切られて設けられ、カード片にも内容物に関する情報が印刷されている。そして、この包装箱から内容物を取り出した後、第一破断線を切断して側面を分割して表示用フラップを包装箱から外し、第二破断線を切断してカード片を包装箱から外し、表示用フラップとカード片を各々内容物とともに保管し、在庫の管理等に使用する。
【先行技術文献】
【特許文献】
【０００３】
【特許文献１】実用新案登録第３１８８３５４号公報
【考案の概要】
【考案が解決しようとする課題】
【０００４】
上記背景技術の場合、包装箱から外した表示用フラップとカード片は矩形であり、包装箱から取り出した内容物や内容物を入れた容器に粘着テープ等で貼り付けられて使用するものであり、フック等の取り付け手段は設けられていないものである。従って例えば、内容物がボトルの場合に、ボトルにこの表示用フラップを簡単に取り付けることはできないものである。
【０００５】
この考案は、上記背景技術の問題点に鑑みてなされたものであり、取り外し可能な表示片が一体に設けられ、取り外した表示片を内容物に容易に取り付けることができる包装箱を提供することを目的とする。
【課題を解決するための手段】
【０００６】
本考案は、一枚のブランクシートから一体的に打ち抜かれた箱体形成片から成り、この箱体形成片の一部に、内容物に関する表示事項が印刷された表示片が分離可能に設けられ、前記表示片には、突起状の係止片が設けられ、前記係止片の突出方向に交差する両端部には凹部が各々設けられ、前記一対の凹部は係止手段を取り付け可能に設けられ、前記係止手段により、内容物に前記表示片を取り付け可能とした包装箱である。
【０００７】
前記係止片は前記表示片の端部に位置し、前記表示片の端部に交差する一対の係止片用破断線と、前記一対の係止片用破断線の先端を連結する係止片用折罫線で区切られて設けられ、前記係止片用破断線にはＳ字形に折れ曲がった屈曲部が設けられ、前記係止片は前記一対の係止片用破断線を切断して前記係止片用折罫線で折り曲げられて前記表示片から突出する突起状に形成され、前記係止片の、前記係止片用破断線の前記屈曲部が切断された側縁部には前記一対の凹部が設けられ、前記凹部に連続する部分には前記凹部のくぼむ方向と反対側に向かって突出する凸部が形成され、前記凹部に取り付けられた前記係止手段を前記凸部が係止するものである。
【０００８】
前記箱体形成片には、互いに平行に連接されて筒体に組み立てられる４つの側面と、一側面に設けられ筒体の上端開口部を閉鎖する蓋片と、前記蓋片が設けられた前記側面に交差する一対の側面に各々設けられ前記蓋片の裏面に折り畳まれる一対のフラップが設けられ、前記フラップが前記表示部であり、前記フラップが連接された前記側面には、前記フラップが連接する端部を分離する側面用破断線が設けられている。
【０００９】
前記箱体形成片には、互いに平行に連接されて筒体に組み立てられる４つの側面が設けられ、前記一側面に、前記表示片が表示片用破断線で区切られて設けられ、前記表示片用破断線の外側に隣接して押込部が設けられ、前記押込部は、前記表示片用破断線に交差する押込部用破断線により囲まれている。前記係止手段は、例えば輪ゴムである。
【００１０】
前記内容物は薬剤が入れられたボトルであり、前記表示片は前記ボトルの首部に取り付けるものである。
【考案の効果】
【００１１】
本考案の包装箱は、簡単な構造及び組立工程で作ることができ、内容物を説明する表示事項が設けられた表示片を一体に設けることができる。表示片には係止片が設けられ、輪ゴム等の係止手段で簡単に内容物に取り付けることができ、接着剤や粘着テープが不要で作業が容易である。特に、輪ゴムは安価で入手しやすく、繰り返し使用することができ、コストがかからないものである。包装箱から取り出した内容物に表示片を取り付けることにより、内容物のラベル等に印刷された情報よりも多くの情報を表示することができ、包装箱から内容物を取り出して管理する際に表示片を見て情報を得ることができる。
【図面の簡単な説明】
【００１２】
【図１】この考案の第一実施形態の包装箱の斜視図である。
【図２】この考案の第一実施形態の包装箱の表示片の使用方法を示す斜視図である。
【図３】この考案の第一実施形態の包装箱の展開図である。
【図４】この考案の第一実施形態の包装箱の部分拡大展開図である
【図５】この考案の第二実施形態の包装箱の展開図である。
【図６】この考案の第二実施形態の包装箱の部分拡大展開図である
【考案を実施するための形態】
【００１３】
以下、この考案の実施形態について図面に基づいて説明する。図１〜図４はこの考案の第一実施形態を示すもので、この実施形態の包装箱１０は、紙製等の一枚のブランクシートを打ち抜いて形成された箱体形成片１２を組み立てて設けられている。
【００１４】
図３、図４は、箱体形成片１２を表面から見た展開図であり、箱体形成片１２は、側面１４，１６，１８，２０が、互いに平行に連接して形成されている。側面１４，１６，１８，２０は、同じ形状の矩形に形成されている。側面１４の側縁部には、包装箱１０の組立状態で側面２０の裏面に糊付けされる糊付片２２が設けられている。そして、糊付片２２、側面１４，１６，１８，２０は、各々折罫線２４，２６，２８，３０で区切られている。
【００１５】
側面１４の、側面同士の連接方向に対して直角な方向の一対の端部には、矩形の蓋片３２が折罫線３４で区切られて設けられ、蓋片３２の折罫線３４と反対側の端部には、さらに差込片３６が折罫線３８で区切られて設けられている。側面１４の、折罫線３４と反対側の端部には、変形した台形状の第一底蓋片４０が折罫線４２で区切られて設けられている。第一底蓋片４０の折罫線４２から折罫線４２に対して平行な端部４０ａまでの長さは、包装箱１０の組立状態で端部４０ａが底面の中心線を超える長さに設けられている。第一底蓋片４０の側面１６に近い傾斜した辺の途中には、略三角形の糊付片４４が折罫線４６で区切られて設けられている。折罫線４２から、糊付片４４の、端部４０ａ側の基端部までの長さは、包装箱１０の組立状態で底面の中心線付近に位置する長さに設けられている。第一底蓋片４０の、糊付片４４の端部４０ａ側に隣接する部分には、底部の組み立てを維持するために後述する第二底蓋片７０が係止される小さい切り欠き部４８が設けられている。
【００１６】
側面１６の、側面１４の折罫線３４に隣接する端部には、台形状のフラップ４９が折罫線５２で区切られて設けられている。フラップ４９は、後述する内容物１１について説明する表示事項５８が印刷されている表示片５０である。表示事項５８は、文字や記号、バーコード等で形成されている。表示片５０には、折罫線５２と反対側の端部５０ａに隣接する部分に、係止片５３が設けられている。係止片５３は、端部５０ａに交差する一対の係止片用破断線５４と、一対の係止片用破断線５４の先端を連結する係止片用折罫線５６で区切られて設けられている。係止片用破断線５４は、端部５０ａに対してほぼ直角に交差する直線であり、端部５０ａと反対側の端部は、互いに近づくようにＳ字形に折曲がった屈曲部５４ａが設けられている。屈曲部５４ａは、まず端部５０ａから離れる方向に凸となる湾曲が設けられ、次に端部５０ａに向かって凸となる湾曲で形成され、それから係止片用折罫線５６に連続している。係止片用折罫線５６は、端部５０ａに対して平行な直線である。
【００１７】
側面１６内には、折罫線５２の近傍に、側面用破断線６０が設けられている。側面用破断線６０は、折罫線５２に沿う円弧状に設けられ、側面用破断線６０の両方の端部６０ａは折罫線５２の端部近傍に達し、側面用破断線６０の中心部６０ｂが折罫線５２から一番離れている。側面１６の、折罫線５２と反対側の端部には、略三角形状のフラップ６２が折罫線６４で区切られて設けられている。
【００１８】
側面１８の、側面１６の折罫線５２に隣接する端部１８ａは、開封時の正面に位置し、他の部材が設けられていない。側面１８の端部１８ａ近傍には、端部１８ａの中央付近に矩形の糊付け部６６が設けられている。糊付け部６６は、端部１８ａに連続するコの字形の開封用破断線６８で囲まれて周囲と区切られている。
【００１９】
側面１８の、端部１８ａと反対側の端部には、変形した台形状の第二底蓋片７０が折罫線７２で区切られて設けられている。第二底蓋片７０の折罫線７２から折罫線７２に対して平行な端部７０ａまでの長さは、包装箱１０の組立状態で端部７０ａが底面の中心線を超える長さに設けられている。第二底蓋片７０の側面２０に近い傾斜した辺の途中には、略三角形の糊付片７４が折罫線７６で区切られて設けられている。折罫線７２から、糊付片７４の、端部７０ａ側の基端部までの長さは、包装箱１０の組立状態で底面の中心線付近に位置する長さに設けられている。第二底蓋片７０の、糊付片７４の端部７０ａ側に隣接する部分には、底部の組み立てを維持するため第一底蓋片４０の切り欠き部４８が係止される切り欠き部７８が設けられている。
【００２０】
側面２０の、側面１８の端部１８ａに隣接する端部には、表示片５０と同形状の、台形状のフラップ８０が折罫線８２で区切られて設けられている。側面２０の、折罫線８２と反対側の端部には、略三角形状のフラップ８４が折罫線８６で区切られて設けられている。
【００２１】
なお、蓋片３２や側面１４，１６，１８，２０等の任意の位置にも、図示しない表示事項５８が印刷されている。
【００２２】
次に、この実施形態の包装箱１０の組立方法について説明する。なお、ここでは図３が包装箱１０の箱体形成片１２の表面側を見たものであり、箱体形成片１２の表面側が凸になる折り方を正折り、そして裏面側が凸になる折り方を逆折りとする。
【００２３】
まず、折罫線４２，６４，７２，８６を正折りし、さらに糊付片４４の折罫線４６と、糊付片７４の折罫線７６をそれぞれ逆折りする。そして、糊付片２２の表面に糊８７を塗布し、糊付片４４の裏面に糊８８を塗布し、折罫線２６を正折りする。これにより、糊付片４４の裏面がフラップ６２の表面に糊付けされる。次に、糊付片７４の裏面に糊９０を塗布し、折罫線３０を正折りする。これにより糊付片７４の裏面がフラップ８４の表面に糊付けされ、糊付片２２の表面は側面２０の裏面に糊付けされる。この様にして箱体形成片１２は折り畳み状態となり、この折り畳んだ状態で出荷される。
【００２４】
次に、内容物１１を包装する工場等において、折罫線２４，２６，２８，３０を各々９０°に正折りし、側面１４，１６，１８，２０を四角形の筒体にする。すると、第一底蓋片４０は側面１４からフラップ６２とともに引き起こされて折罫線４２で直角に正折りされ、同時に第二底蓋片７０は側面１８からフラップ８４とともに引き起こされて折罫線７２で直角に正折りされる。さらに、第一底蓋片４０の切り欠き部４８と第二底蓋片７０の切り欠き部７８が互いに係止され、逆戻りが防止され、底部が形成されて図１に示す状態となる。
【００２５】
この状態で、内容物１１を中に入れる。内容物１１は、例えば医薬品の錠剤が入れられたボトルである。そして、折罫線５２で表示片５０を９０°に正折りし、折罫線８２でフラップ８０を９０°に正折りし、その後折罫線３４で蓋片３２を９０°に正折りし、差込片３６を折罫線３８で正折りし、差込片３６を側面１８の端部１８ａから側面１８の裏面に差し込んで係止する。糊付け部６６の裏面に糊９２を塗布して差込片３６に糊付けして閉鎖し、包装が完了する。
【００２６】
内容物１１を使用するときは、側面１８の糊付け部６６を押して開封用破断線６８を切断し、蓋片３２を上方に引き上げる。糊付け部６６は差込片３６に貼り付いたまま側面１８から分離し、開封される。
【００２７】
包装箱１０に入れられた内容物１１を取り出して棚等に置いて管理をする時は、包装箱１０から表示片５０を切り離し、内容物１１に輪ゴム９４で取り付ける。まず、側面１６の側面用破断線６０の、中心部６０ｂ付近を押して、側面用破断線６０を切断して側面１６を分割し、側面用破断線６０の、表示片５０側のパーツを保持して、表示片５０とともに包装箱１０から外す。
【００２８】
次に、外した表示片５０の、一対の係止片用破断線５４を切断して、係止片５３を、係止片用折罫線５６で連続する突起状とする。係止片５３の、屈曲部５４ａにより切断された側縁部には、係止片用折罫線５６の近くに位置し端部５０ａに向かってくぼむ凹部５３ａと、凹部５３ａに連続し端部５０ａと反対側に突出する凸部５３ｂが形成される。凹部５３ａと凸部５３ｂは、係止片５３の係止片用折罫線５６を挟んで両側に、つまり係止片５３の突出方向に交差する両端部に一対が形成される。
【００２９】
この状態で、図２に示すように、係止片５３の両側の一対の凹部５３ａに一本の輪ゴム９４を挿通し、輪ゴム９４を内容物１１の首部１１ａに巻き回す。輪ゴム９４は、係止片５３の凸部５３ｂに係止されて凹部５３ａから外れることがない。内容物１１の首部１１ａに、表示片５０が取り付けられ、表示片５０の表示事項５８を表示する。
【００３０】
この実施形態の包装箱１０によれば、簡単な構造で簡単な組立工程で作ることができ、内容物１１を説明する表示事項５８が設けられた表示片５０を一体に設けることができる。表示片５０は、側面１６に連接して設けられたフラップ４９であり、側面１６を１個の側面用破断線６０で分割するだけで簡単に外すことができる。表示片５０には係止片５３が設けられ、係止片５３に輪ゴム９４を挿通し、簡単に内容物１１に取り付けることができ、接着剤や粘着テープが不要で作業が容易であり、輪ゴム９４は安価で入手しやすいものであり、繰り返し使用することができ、コストがかからないものである。
【００３１】
さらに、包装箱１０から取り出した内容物１１に表示片５０を取り付けることにより、内容物１１のラベル等に印刷された情報よりも多くの情報を表示することができ、特に内容物１１を発注する際に必要なバーコードを表示して、内容物１１の残りが少なくなった時に表示片５０のバーコードを使用して早く発注することができる。表示片５０に必要な情報を残すことで、使用済みの空の包装箱１０を任意の時期に廃棄することができる。この他、表示片５０は内容物１１の首部１１ａに取り付けられ、作業者に見やすく、また内容物１１の側面や蓋に表示片５０がかからないため、作業者が内容物１１を保持する際の邪魔にならず円滑に作業をすることができる。
【００３２】
次にこの考案の第二実施形態について図５、図６に基づいて説明する。なお、ここで、上記実施形態と同様の部材は同様の符号を付して説明を省略する。この実施形態の包装箱１００は、紙製等の一枚のブランクシートを打ち抜いて形成された箱体形成片１０２を組み立てて設けられている。
【００３３】
図５は、箱体形成片１０２を表面から見た展開図であり、箱体形成片１０２は側面１４，１６，１８，２０が、互いに平行に連接して形成されている。
【００３４】
側面１６の、側面１４の折罫線３４に隣接する端部には、台形状のフラップ１０４が折罫線１０６で区切られて設けられている。フラップ１０４には表示事項５８は印刷されていない。側面１６内には、折罫線１０６と反対側の端部６４に隣接して、表示片１０８が設けられている。表示片１０８には、内容物１１について説明する表示事項５８が印刷されている。表示片１０８は、折罫線６４上に位置する表示片用破断線１１０と、表示片用破断線１１０に連続し折罫線２６上に位置する表示片用破断線１１２と、表示片用破断線１１０の反対側に連続し折罫線２８上に位置する表示片用破断線１１４と、表示片用破断線１１０に対して平行で側面１６の中心よりも折罫線６４に少し近い位置にある表示片用破断線１１６で囲まれて設けられた矩形である。表示片用破断線１１０の両端部で、表示片用破断線１１２，１１４と交差する角部は切り欠かれている。表示片１０８の、表示片用破断線１１６に隣接する部分には、係止片１１８が設けられている。係止片１１８は、表示片用破断線１１６に交差する一対の係止片用破断線１２０と、一対の係止片用破断線１２０の先端を連結する係止片用折罫線１２２で区切られて設けられている。係止片用破断線１２０は、表示片用破断線１１６に対してほぼ直角に交差する直線であり、端表示片用破断線１１６と反対側の端部は、互いに近づくようにＳ字形に折曲がった屈曲部１２０ａが設けられている。屈曲部１２０ａは、まず表示片用破断線１１６から離れる方向に凸となる湾曲が設けられ、次に表示片用破断線１１６に向かって凸となる湾曲で形成され、それから係止片用折罫線１２２に連続している。係止片用折罫線１２２は、表示片用破断線１１６に対して平行な直線である。表示片用破断線１１０は、直線の切込線が所定間隔で並べられたミシン線で設けられている。表示片用破断線１１２，１１４，１１６は、各切込線の端部に鈍角で交差する短い切込線が各々設けられているジッパー線で設けられている。表示片用破断線１１６の、一対の係止片用破断線１２０の間は、３本の長い切込線が所定間隔で並べられて設けられている。
【００３５】
側面１６には、表示片用破断線１１６を挟んで外側で、係止片１１８に連続する部分に、矩形の押込部１２４が設けられている。押込部１２４は、表示片用破断線１１６に交差する一対の押込部用破断線１２６と、一対の押込部用破断線１２６の端部を連結する押込部用折罫線１２８で区切られて設けられている。押込部用破断線１２６は、表示片用破断線１１６に対してほぼ直角に交差する直線であり、押込部用折罫線１２８は、表示片用破断線１１６に対して平行な直線である。
【００３６】
この実施形態の包装箱１００の組立方法は、上記実施形態と同様である。包装箱１００に入れられた内容物１１を取り出して棚等に置いて管理をする時は、包装箱１００から表示片１０８を切り離し、内容物１１に輪ゴム９４で取り付ける。まず、側面１６の押込部１２４を押して押込部用破断線１２６を切断し、押込部用折罫線１２８で押込部１２４を包装箱１００の内側に押し込み、側面１６に透孔を形成する。
【００３７】
表示片用破断線１１６に隣接して透孔が形成されたことにより、表示片用破断線１１６に指を掛けやすくなり、表示片用破断線１１６に指を掛けて表示片１０８を引き起こす。表示片用破断線１１６が切断され、連続して表示片用破断線１１０，１１２，１１４が切断され、包装箱１００から表示片１０８が外される。
【００３８】
次に、外した表示片１０８の、一対の係止片用破断線１２０を切断して、係止片１１８を、係止片用折罫線１２２で連続する突起状とする。係止片１１８の、屈曲部１２０ａにより切断された側縁部には、係止片用折罫線１２２の近くに位置し表示片用破断線１１６に向かってくぼむ凹部１１８ａと、凹部１１８ａに連続し表示片用破断線１１６と反対側に突出する凸部１１８ｂが形成される。凹部１１８ａと凸部１１８ｂは、係止片１１８の係止片用折罫線１２２を挟んで両側に、つまり係止片１１８の突出方向に交差する両端部に一対が形成される。そして、上記実施の形態と同様に、係止片１１８の両側の一対の凹部１１８ａに一本の輪ゴム９４を挿通し、輪ゴム９４を内容物１１の首部１１ａに掛ける。輪ゴム９４は係止片１１８の凸部１１８ｂに係止されて係止片１１８から外れることがない。内容物１１の首部１１ａに、表示片１０８が取り付けられ、表示片１０８の表示事項５８を表示する。
【００３９】
この実施形態の包装箱１００によれば、上記実施形態と同様の効果を有するものである。表示片１０８は、側面１６以外の側面１４，１８，２０や蓋片３２等、任意の位置に設けることができ、包装箱１００のデザインを自由にすることができる。表示片１０８に隣接して押込部１２４が設けられているため、押込部１２４を押し込んで側面１６に透孔を形成して容易に表示片１０８を側面１６から切り離すことができる。
【００４０】
なお、本考案の包装箱は、上記実施形態に限定されるものではない。例えば、各部材の形状や大きさは内容物に合わせて適宜変更可能であり、また底部や蓋片の構造も適宜変更可能である。係止片の位置や形状も、確実に輪ゴムで係止されるものであればよい。表示片は、輪ゴム以外の係止手段、例えば紐等で内容物に取り付けてもよい。
【符号の説明】
【００４１】
１０，１００  包装箱
１１  内容物
１２，１０２  箱体形成片
１４，１６，１８，２０  側面
４９，８０，１０４  フラップ
５０，１０８  表示片
５３，１１８  係止片
５３ａ，１１８ａ  凹部
５３ｂ，１１８ｂ  凸部
５４，１２０  係止片用破断線
５４ａ，１２０ａ  屈曲部
５６，１２２  係止片用折罫線
５８  表示事項
６０  側面用破断線
９４  輪ゴム
１１０，１１２，１１４，１１６  表示片用破断線
１２４  押込部
１２６  押込部用破断線
【図１】
0003199761.tif 000003
【図２】
0003199761.tif 000004
【図３】
0003199761.tif 000005
【図４】
0003199761.tif 000006
【図５】
0003199761.tif 000007
【図６】
0003199761.tif 000008